(57)【特許請求の範囲】
【請求項１】
複数の携帯端末とサーバとを備える状態監視システムであって、
前記複数の携帯端末のそれぞれは、
前記携帯端末が、予め登録した登録アクセスポイントの圏内に存在しているか否かを判定する判定部と、
前記圏内に存在していないと判定した判定結果を、前記サーバに送信する端末送信部とを有し、
前記サーバは、
前記携帯端末から前記判定結果を受信するとともに、前記登録アクセスポイントから、前記登録アクセスポイントの周辺の出入口に設けられている鍵の施錠状態、若しくは扉又は窓の開閉状態を検出する１以上の開閉センサによる検出結果を示す状態情報を受信するサーバ受信部と、
前記状態情報として、前記開閉センサによる検出結果を記憶する記憶部と、
前記サーバ受信部が前記状態情報を受信すると、前記記憶部に記憶されている前記状態情報を、受信した状態情報に更新する更新部と、
前記サーバ受信部が前記判定結果を前記複数の携帯端末から受信した場合に、前記検出結果が前記鍵の解錠状態若しくは前記扉又は窓の開状態を示しているとき、前記複数の携帯端末に前記状態情報を送信し、前記複数の携帯端末に状態情報を送信した後に、前記サーバ受信部が前記鍵の施錠状態若しくは扉又は窓の閉状態を示す前記状態情報を受信したことにより前記記憶部に記憶されている前記状態情報が変化した場合に、前記複数の携帯端末に当該状態情報を送信するサーバ送信部とを有する、
状態監視システム。
【請求項２】
前記サーバ送信部は、前記サーバ受信部が前記判定結果を前記携帯端末から受信した場合に、前記鍵の解錠状態若しくは扉又は窓の開状態を示している前記検出結果を前記状態情報として前記携帯端末に送信する、
請求項１に記載の状態監視システム。
【請求項３】
前記サーバ送信部は、前記記憶部に記憶されている前記状態情報が所定時間帯に変化すると、前記サーバ受信部が前記携帯端末から前記判定結果を受信しているか否かにかかわらず、当該携帯端末に前記状態情報を送信する、
請求項１又は２に記載の状態監視システム。
【請求項４】
前記サーバ送信部は、前記携帯端末に前記状態情報を送信してから所定時間以内に前記状態情報が変化しない場合、予め定められた連絡先に前記状態情報を通知する、
請求項１から３のいずれか１項に記載の状態監視システム。
【請求項５】
前記サーバ送信部は、前記サーバ受信部が、複数の携帯端末のうち所定の携帯端末から前記判定結果を受信すると、当該複数の携帯端末のうち他の携帯端末から前記判定結果を受信しているか否かにかかわらず、前記所定の携帯端末に前記状態情報を送信する、
請求項１から４のいずれか１項に記載の状態監視システム。
【請求項６】
前記記憶部は、前記登録アクセスポイントの位置を示す位置情報を記憶し、
前記サーバ受信部は、複数の前記携帯端末のそれぞれから、当該携帯端末の位置を示す位置情報を受信し、
前記サーバ送信部は、前記サーバ受信部が、複数の前記携帯端末のそれぞれから前記判定結果を受信している場合に、前記登録アクセスポイントの位置と最も近い位置の前記携帯端末に、前記状態情報を送信する、
請求項１から５のいずれか１項に記載の状態監視システム。
【請求項７】
複数の携帯端末とサーバとを備える状態監視システムであって、
前記複数の携帯端末のそれぞれは、
予め登録した登録アクセスポイントとの接続状況を示す接続状況情報を前記サーバに送信する端末送信部を有し、
前記サーバは、
前記携帯端末から前記接続状況情報を受信するとともに、前記登録アクセスポイントから、前記登録アクセスポイントの周辺の出入口に設けられている鍵の施錠状態、若しくは扉又は窓の開閉状態を検出する１以上の開閉センサによる検出結果を示す状態情報を受信するサーバ受信部と、
前記状態情報として、前記開閉センサによる検出結果を記憶する記憶部と、
前記サーバ受信部が前記状態情報を受信すると、前記記憶部に記憶されている前記状態情報を、受信した状態情報に更新する更新部と、
前記接続状況情報に基づいて、前記携帯端末が前記登録アクセスポイントの圏内に存在しているか否かを判定する判定部と、
前記判定部が、前記複数の携帯端末が前記圏内に存在していないと判定した場合に、前記検出結果が前記扉又は窓の開状態を示しているとき、前記記憶部に記憶されている前記状態情報を前記複数の携帯端末に送信し、前記複数の携帯端末に状態情報を送信した後に、前記サーバ受信部が前記鍵の施錠状態若しくは扉又は窓の閉状態を示す前記状態情報を受信したことにより前記記憶部に記憶されている前記状態情報が変化した場合に、前記複数の携帯端末に当該状態情報を送信するサーバ送信部とを有する、
状態監視システム。
【請求項８】
複数の携帯端末のそれぞれが、
予め登録した登録アクセスポイントの圏内に存在するか否かを判定する手順と、
前記圏内に存在していないと判定した判定結果を、サーバに送信する手順と、
を実行し、
前記サーバが、
前記登録アクセスポイントの周辺の出入口に設けられている鍵の施錠状態、若しくは扉又は窓の開閉状態を検出する１以上の開閉センサによる検出結果を示す状態情報を受信すると、記憶部に記憶されている状態情報を、受信した状態情報に更新する手順と、
前記複数の携帯端末から前記判定結果を受信した場合に、前記記憶部に記憶されている前記状態情報が前記鍵の解錠状態若しくは前記扉又は窓の開状態を示しているとき、前記複数の携帯端末に前記状態情報を送信する手順と、
前記複数の携帯端末に状態情報を送信した後に、前記鍵の施錠状態若しくは前記扉又は窓の閉状態を示す前記状態情報を受信したことにより前記記憶部に記憶されている前記状態情報が変化した場合に、前記複数の携帯端末に当該状態情報を送信する手順とを実行する、
状態監視方法。
【請求項９】
複数の携帯端末のそれぞれが、
前記携帯端末が予め登録した登録アクセスポイントとの接続状況を示す接続状況情報をサーバに送信する手順を実行し、
前記サーバが、
前記登録アクセスポイントの周辺の出入口に設けられている鍵の施錠状態、若しくは扉又は窓の開閉状態を検出する１以上の開閉センサによる検出結果を示す状態情報を受信すると、記憶部に記憶されている状態情報を、受信した状態情報に更新する手順と、
前記複数の携帯端末から受信した前記接続状況情報に基づいて、前記複数の携帯端末が、前記登録アクセスポイントの圏内に存在しているか否かを判定する手順と、
前記複数の携帯端末が前記圏内に存在していないと判定した場合に、前記記憶部に記憶されている前記状態情報が前記鍵の解錠状態若しくは前記扉又は窓の開状態を示しているとき、複数の前記携帯端末に前記状態情報を送信する手順と、
前記複数の携帯端末に状態情報を送信した後に、前記鍵の施錠状態若しくは前記扉又は窓の閉状態を示す前記状態情報を受信したことにより前記記憶部に記憶されている前記状態情報が変化した場合に、前記複数の携帯端末に当該状態情報を送信する手順とを実行する、
状態監視方法。
【発明の詳細な説明】
【技術分野】
【０００１】
本発明は、状態監視システム及び状態監視方法に関する。
【背景技術】
【０００２】
従来、携帯端末のユーザが自宅から外出している場合に、自宅の状況を通知する方法が知られている。例えば、特許文献１には、無線ＬＡＮのアクセスポイントとして機能するインターホンシステムの親機が、建物の占有空間を通信範囲とする無線ＬＡＮを介して携帯端末と通信することができない場合に、当該建物の出入口が解錠状態であるとき、公衆網を介して、建物の出入口が解錠状態であることを当該携帯端末に通知するシステムが開示されている。
【先行技術文献】
【特許文献】
【０００３】
【特許文献１】特開２０１２−８８７８号公報
【発明の概要】
【発明が解決しようとする課題】
【０００４】
ところで、一般的なアクセスポイントは、無線ＬＡＮを介して通信を行うための機能を備えているものの、解錠状態又は施錠状態のいずれであるかを監視し、公衆網を介して監視結果を通知するための機能を備えていない。よって、特許文献１に記載されたシステムを実現しようとする場合、解錠状態又は施錠状態のいずれであるかを監視する機能を備えたアクセスポイントを設置する必要があった。しかしながら、このような機能を備えるアクセスポイントは、高価であるという問題があった。また、解錠状態又は施錠状態のいずれであるかを監視したいユーザは、専用のアクセスポイントを購入し、各種の設定変更をしなければならないという問題もあった。そこで、汎用的な構成のアクセスポイントを用いて、携帯端末に対して宅内の状況を通知することが求められている。
【０００５】
そこで、本発明はこれらの課題を解決するためになされたものであり、汎用的な構成のアクセスポイントを用いて携帯端末に対して宅内の状況を通知することができる状態監視システム及び状態監視方法を提供することを目的とする。
【課題を解決するための手段】
【０００６】
本発明の第１の態様に係る状態監視システムは、携帯端末とサーバとを備える状態監視システムであって、前記携帯端末は、前記携帯端末が、予め登録した登録アクセスポイントの圏内に存在しているか否かを判定する判定部と、前記圏内に存在していないと判定した判定結果を、前記サーバに送信する端末送信部とを有し、前記サーバは、前記携帯端末から前記判定結果を受信するサーバ受信部と、前記登録アクセスポイントの周辺の状態を示す状態情報を記憶する記憶部と、前記サーバ受信部が前記判定結果を前記携帯端末から受信すると、前記携帯端末に前記状態情報を送信するサーバ送信部とを有する。
【０００７】
前記状態監視システムは、前記登録アクセスポイントの周辺の出入口に設けられている鍵の施錠状態、若しくは扉又は窓の開閉状態を検出する１以上の開閉センサをさらに備え、前記記憶部は、前記状態情報として、前記開閉センサによる検出結果を記憶し、前記サーバ送信部は、前記サーバ受信部が前記判定結果を前記携帯端末から受信した場合に、前記鍵の解錠状態若しくは扉又は窓の開状態を示している前記検出結果を前記状態情報として前記携帯端末に送信してもよい。
【０００８】
前記サーバ受信部は、前記登録アクセスポイントから前記状態情報をさらに受信し、前記サーバ受信部が前記状態情報を受信すると、前記記憶部に記憶されている前記状態情報を、受信した状態情報に更新する更新部をさらに備え、前記サーバ送信部は、前記記憶部に記憶されている前記状態情報が変化した場合に、前記携帯端末に前記状態情報を送信してもよい。
【０００９】
前記サーバ送信部は、前記記憶部に記憶されている前記状態情報が所定時間帯に変化すると、前記サーバ受信部が前記携帯端末から前記判定結果を受信しているか否かにかかわらず、当該携帯端末に前記状態情報を送信してもよい。
前記サーバ送信部は、前記携帯端末に前記状態情報を送信してから所定時間以内に前記状態情報が変化しない場合、予め定められた連絡先に前記状態情報を通知してもよい。
【００１０】
前記状態監視システムでは、前記登録アクセスポイントを登録した携帯端末は複数存在し、前記サーバ送信部は、前記サーバ受信部が、複数の携帯端末のうち所定の携帯端末から前記判定結果を受信すると、当該複数の携帯端末のうち他の携帯端末から前記判定結果を受信しているか否かにかかわらず、前記所定の携帯端末に前記状態情報を送信してもよい。
【００１１】
前記状態監視システムでは、前記登録アクセスポイントを登録した携帯端末は複数存在し、前記記憶部は、前記登録アクセスポイントの位置を示す位置情報を記憶し、前記サーバ受信部は、複数の前記携帯端末のそれぞれから、当該携帯端末の位置を示す位置情報を受信し、前記サーバ送信部は、前記サーバ受信部が、複数の前記携帯端末のそれぞれから前記判定結果を受信している場合に、前記登録アクセスポイントの位置と最も近い位置の前記携帯端末に、前記状態情報を送信してもよい。
【００１２】
本発明の第２の態様に係る状態監視システムは、携帯端末とサーバとを備える状態監視システムであって、前記携帯端末は、前記携帯端末における、無線通信のアクセスポイントとの接続状況を示す接続状況情報を前記サーバに送信する端末送信部を有し、前記サーバは、前記携帯端末から前記接続状況情報を受信するサーバ受信部と、予め登録した登録アクセスポイントの周辺の状態を示す状態情報を記憶する記憶部と、前記接続状況情報に基づいて、前記携帯端末が前記登録アクセスポイントの圏内に存在しているか否かを判定する判定部と、前記判定部が、前記圏内に存在していないと判定すると、前記記憶部に記憶されている前記状態情報を前記携帯端末に送信するサーバ送信部とを有する。
【００１３】
本発明の第３の態様に係る状態監視方法は、携帯端末が、予め登録した登録アクセスポイントの圏内に存在するか否かを判定する手順と、前記圏内に存在していないと判定した判定結果を、サーバに送信する手順と、を実行し、前記サーバが、前記携帯端末から前記判定結果を受信すると、記憶部に記憶されている前記登録アクセスポイントの周辺の状態を示す状態情報を前記携帯端末に送信する手順を実行する。
【００１４】
本発明の第４の態様に係る状態監視方法は、携帯端末が、前記携帯端末における、無線通信のアクセスポイントとの接続状況を示す接続状況情報をサーバに送信する手順を実行し、前記サーバが、前記携帯端末から受信した前記接続状況情報に基づいて、前記携帯端末が、予め登録した登録アクセスポイントの圏内に存在しているか否かを判定する手順と、前記圏内に存在していないと判定すると、記憶部に記憶されている前記登録アクセスポイントの周辺の状態を示す状態情報を前記携帯端末に送信する手順と、を実行する。
【発明の効果】
【００１５】
本発明によれば、汎用的な構成のアクセスポイントを用いて携帯端末に対して宅内の状況を通知することができる。
【図面の簡単な説明】
【００１６】
【図１】第１の実施形態に係る状態監視システム及び当該状態監視システムの外部環境を示す図である。
【図２】第１の実施形態に係る携帯端末に警告情報が表示された例を示す図である。
【図３】第１の実施形態に係る携帯端末の機能構成図である。
【図４】第１の実施形態に係るサーバの機能構成図である。
【図５】第１の実施形態に係る記憶部に記憶される管理情報の一例を示す図である。
【図６】第１の実施形態に係る状態情報の変化に係る処理の流れを示すシーケンス図である。
【図７】第１の実施形態に係る携帯端末が所定の住宅から離れたときの処理の流れを示すシーケンス図である。
【図８】第２の実施形態に係るサーバの機能構成図である。
【図９】第２の実施形態に係る携帯端末が所定の住宅から離れたときの処理の流れを示すシーケンス図である。
【図１０】第２の実施形態に係る記憶部に記憶される登録アクセスポイント情報の一例を示す図である。
【図１１】第３の実施形態に係る携帯端末の機能構成図である。
【図１２】第３の実施形態に係る記憶部に記憶される位置管理情報の一例を示す図である。
【図１３】第３の実施形態に係る記憶部に記憶される管理情報の一例を示す図である。
【図１４】第４の実施形態に係る記憶部に記憶される管理情報の一例を示す図である。
【発明を実施するための形態】
【００１７】
以下、本発明の実施形態について説明する。
＜第１の実施形態＞
［状態監視システムＳの構成］
図１は、第１の実施形態に係る状態監視システムＳ及び当該状態監視システムＳの外部環境を示す図である。状態監視システムＳは、携帯端末１と、複数の開閉センサ２と、登録アクセスポイント３と、サーバ４とを備える。
【００１８】
複数の開閉センサ２は、所定の住宅Ａの宅内に設けられており、所定の住宅Ａの玄関等に設けられている鍵の施錠状態、若しくは扉又は窓の開閉状態を検出する。複数の開閉センサ２は、状態が変化したことを検出すると、検出結果を登録アクセスポイント３に無線通信により送信する。なお、複数の開閉センサ２は、登録アクセスポイント３と有線で接続され、有線により検出結果を送信するようにしてもよい。
【００１９】
登録アクセスポイント３は、所定の住宅Ａに設置されており、携帯端末１と無線通信を行う。また、登録アクセスポイント３は、複数の開閉センサ２から検出結果を受信すると、当該検出結果を、登録アクセスポイント３の周辺の状態を示す状態情報として、インターネット等のネットワークＮを介してサーバ４に送信する。
【００２０】
携帯端末１は、所定の住宅Ａの住人等が使用するスマートフォン等の携帯電話機である。携帯端末１は、登録アクセスポイント３や複数の他のアクセスポイント５等の各アクセスポイントの識別情報であるＳＳＩＤ（例えば、ＢＳＳＩＤ）をもつアクセスポイントとの接続状況を監視する。携帯端末１は、接続状況に基づいて、登録アクセスポイント３の圏内に存在していないと判定すると、この判定結果をサーバ４に送信する。以下、ＢＳＳＩＤにより接続状況を監視する例について説明を進める。
【００２１】
サーバ４は、登録アクセスポイント３から受信した状態情報を記憶しており、携帯端末１から判定結果を受信すると、携帯端末１のユーザが住宅Ａに不在であると判定する。サーバ４は、携帯端末１に対応する状態情報が、鍵が解錠されていることや、窓等が開いていることを示していると、当該携帯端末１に対して状態情報を含む警告情報を送信し、携帯端末１に警告情報を表示させる。図２は、第１の実施形態に係る携帯端末１に警告情報が表示された例を示す図である。図２では、状態情報として、玄関の鍵が施錠されていない旨を示すメッセージが含まれている。これにより、携帯端末１のユーザは、外出時に施錠し忘れていたり、窓等を閉め忘れたりしていることに気付くことができ、適切な対応を行うことができる。
【００２２】
［携帯端末１の構成例］
以下、状態監視システムＳを構成する携帯端末１及びサーバ４の機能構成について説明する。
図３は、第１の実施形態に係る携帯端末１の機能構成図である。
携帯端末１は、入力部１１と、表示部１２と、無線部１３と、記憶部１４と、制御部１５とを備える。
【００２３】
入力部１１は、例えば、ボタンや、表示部１２に重畳して配置される接触センサ等により構成されており、携帯端末１のユーザから操作入力を受け付ける。
表示部１２は、例えば、液晶ディスプレイや有機ＥＬ（Electro-Luminescence）ディスプレイ等により構成される。表示部１２は、制御部１５の制御に応じてサーバ４から送信された警告情報等を表示する。
【００２４】
無線部１３は、制御部１５から出力された信号を変調してＲＦ（Radio Frequency）信号を生成し、アンテナ（不図示）を介して当該ＲＦ信号を登録アクセスポイント３又は基地局（不図示）に無線送信する。無線部１３は、アンテナを介して登録アクセスポイント３又は基地局から受信したＲＦ信号を復調し、復調により得られた信号を制御部１５に出力する。ここで、無線部１３は、例えば、ＩＥＥＥ  ８０２．１１ａ、ＩＥＥＥ  ８０２．１１ｂ、ＩＥＥＥ  ８０２．１１ｇ又はＩＥＥＥ  ８０２．１１ｎに従って登録アクセスポイント３と無線通信を行うものとする。また、無線部１３は、携帯電話回線を介して基地局と無線通信を行うものとする。
【００２５】
記憶部１４は、例えば、ＲＯＭ及びＲＡＭ等により構成される。記憶部１４は、携帯端末１を機能させるための各種プログラムを記憶する。例えば、記憶部１４は、携帯端末１の制御部１５を、後述する接続管理部１５１、判定部１５３、端末送信部１５４及び端末受信部１５５として機能させるための宅内警備用アプリケーションを記憶する。なお、宅内警備用アプリケーションは、アプリケーションＩＤを備えており、このアプリケーションＩＤは、携帯端末１のそれぞれにおいて異なり、アプリケーションＩＤから携帯端末１を識別できるものとする。このアプリケーションＩＤは、サーバ４において携帯端末１を識別するために使用される。また、記憶部１４は、予め宅内警備用アプリケーションにおいて登録した登録アクセスポイント３のＢＳＳＩＤを記憶する。なお、記憶部１４は、外部メモリ等の記憶媒体に記憶されたプログラムを読み取って記憶してもよく、ネットワークＮを介して外部機器からダウンロードされたプログラムを記憶してもよい。
【００２６】
制御部１５は、例えば、ＣＰＵにより構成される。制御部１５は、記憶部１４に記憶されている各種プログラムを実行することにより、携帯端末１に係る機能を統括的に制御する。制御部１５は、接続管理部１５１と、判定部１５３と、端末送信部１５４と、端末受信部１５５とを備える。
【００２７】
接続管理部１５１は、無線部１３を介して、携帯端末１と通信可能なアクセスポイントを検出し、検出したアクセスポイントのＢＳＳＩＤを取得する。接続管理部１５１は、登録アクセスポイント３のＢＳＳＩＤを取得すると、登録アクセスポイント３に認証を行い、接続を確立させる。これにより、携帯端末１は、登録アクセスポイント３を介して、ネットワークＮ上の外部サーバにアクセス可能となる。
【００２８】
判定部１５３は、携帯端末１が、予め登録した登録アクセスポイント３の圏内に存在するか否かを判定する。具体的には、判定部１５３は、携帯端末１が接続中のアクセスポイントのＢＳＳＩＤと、予め宅内警備用アプリケーションにおいて登録した登録アクセスポイント３のＢＳＳＩＤとが一致するか否かに基づいて、携帯端末１が、登録アクセスポイント３の圏内に存在するか否かを判定する。判定部１５３は、携帯端末１が接続中のアクセスポイントのＢＳＳＩＤと、登録アクセスポイント３のＢＳＳＩＤとが一致する場合、携帯端末１が登録アクセスポイント３の圏内に存在すると判定し、一致しない場合、携帯端末１が登録アクセスポイント３の圏内に存在しない（圏外に存在する）と判定する。
【００２９】
なお、判定部１５３は、ＢＳＳＩＤの受信状況に基づいて、初期設定によって予め登録した登録アクセスポイント３のＢＳＳＩＤを受信しているか否かを判定してもよい。例えば、携帯端末１に、接続管理部１５１が現時点において取得しているアクセスポイントのＢＳＳＩＤを記憶部１４に一時的に記憶させるとともに、接続管理部１５１によるＢＳＳＩＤの検出状況に応じて、記憶部１４に記憶しているＢＳＳＩＤをリアルタイムに更新する監視部を設ける。そして、判定部１５３は、記憶部１４に記憶されているＢＳＳＩＤに、登録アクセスポイント３のＢＳＳＩＤが含まれているか否かを判定することにより、登録アクセスポイント３のＢＳＳＩＤを現時点において受信しているか否かを判定する。判定部１５３は、記憶部１４に記憶されているＢＳＳＩＤに登録アクセスポイント３のＢＳＳＩＤが含まれている場合、登録アクセスポイント３のＢＳＳＩＤを受信していると判定し、登録アクセスポイント３のＢＳＳＩＤが含まれていない場合、登録アクセスポイント３のＢＳＳＩＤを受信していないと判定する。
【００３０】
端末送信部１５４は、無線部１３を介して、各種情報をサーバ４に送信する。例えば、端末送信部１５４は、初めて宅内警備用アプリケーションが実行された際に、所定の情報をサーバ４に送信する。具体的には、携帯端末１において初めて宅内警備用アプリケーションが実行された際に、入力部１１は、初期設定情報として、登録アクセスポイント３及び複数の開閉センサ２の登録を受け付ける。端末送信部１５４は、入力部１１が、登録アクセスポイント３及び複数の開閉センサ２の登録を受け付けると、当該登録アクセスポイント３の識別情報としてのＭＡＣアドレスと、宅内警備用アプリケーションのアプリケーションＩＤと、開閉センサ２の識別情報とをサーバ４に送信する。なお、本実施形態では、登録アクセスポイント３の識別情報としてＭＡＣアドレスを用いているが、これに限らない。例えば、登録アクセスポイント３の識別情報として、任意の形式のシリアル番号等を用いてもよい。
【００３１】
また、端末送信部１５４は、初期設定によって登録アクセスポイント３のＢＳＳＩＤが登録された後、判定部１５３が登録アクセスポイント３の圏内に存在していないと判定したとき、当該判定の判定結果と宅内警備用アプリケーションのアプリケーションＩＤとを、無線部１３を介してサーバ４に送信する。
【００３２】
端末受信部１５５は、サーバ４から複数の開閉センサ２の少なくともいずれかに対応する状態情報を含む警告情報を受信する。端末受信部１５５は、受信した警告情報を図２に示すように表示部１２に表示させることにより、宅内における鍵の施錠状態又は窓又は扉の開閉状態に問題があることを携帯端末１のユーザに認識させることができる。
【００３３】
［サーバ４の構成例］
続いて、サーバ４の機能構成について説明する。図４は、第１の実施形態に係るサーバ４の機能構成図である。サーバ４は、通信部４１と、記憶部４２と、制御部４３とを備える。
【００３４】
通信部４１は、有線により外部機器と通信を行う。具体的には、通信部４１は、ネットワークＮを介して登録アクセスポイント３及び携帯端末１と通信を行う。
記憶部４２は、例えば、ＲＯＭ及びＲＡＭ等により構成される。記憶部４２は、サーバ４を機能させるための各種プログラムを記憶する。記憶部４２は、ネットワークＮを介して外部機器からダウンロードされたプログラムを記憶してもよい。
【００３５】
制御部４３は、例えば、ＣＰＵにより構成される。制御部４３は、記憶部４２に記憶されている各種プログラムを実行することにより、サーバ４に係る機能を統括的に制御する。制御部４３は、サーバ受信部４３１と、登録部４３２と、更新部４３３と、サーバ送信部４３４とを備える。
【００３６】
サーバ受信部４３１は、通信部４１を介して、携帯端末１及び登録アクセスポイント３から各種情報を受信する。
具体的には、サーバ受信部４３１は、携帯端末１に宅内警備用アプリケーションの初期設定が行われた際に送信される、登録アクセスポイント３のＭＡＣアドレスと、宅内警備用アプリケーションのアプリケーションＩＤと、開閉センサ２の識別情報とを受信する。サーバ受信部４３１は、これらの情報を登録部４３２に出力する。なお、本実施形態では、サーバ受信部４３１が、登録アクセスポイント３の識別情報としてＭＡＣアドレスを受信することとしたが、これに限らず、ＭＡＣアドレスの代わりに、登録アクセスポイント３を一意に識別できる他の情報を受信してもよい。
【００３７】
登録部４３２は、サーバ受信部４３１から出力された、登録アクセスポイント３のＭＡＣアドレスと、宅内警備用アプリケーションのアプリケーションＩＤと、開閉センサ２の識別情報とを関連付けて管理情報として記憶部４２に記憶させる。
【００３８】
図５は、記憶部４２に記憶される管理情報の一例を示す図である。図５に示されるように、管理情報には、登録アクセスポイントのＭＡＣアドレスと、アプリケーションＩＤと、１以上の開閉センサ２の識別情報とを関連付けて記憶されていることが確認できる。例えば、開閉センサ２の識別情報は、「ｋｅｙ１」、「ｋｅｙ２」等である。管理情報では、開閉センサ２の識別情報に関連付けて、状態情報（開閉センサ２の検出結果）が記憶される。これにより、記憶部４２は、登録アクセスポイント３の周辺の状態を示す状態情報を記憶する。なお、本実施形態では、管理情報に携帯端末１を識別する情報としてアプリケーションＩＤを含むこととしたが、これに限らない。例えば、携帯端末１を識別する情報として、携帯端末１の個体識別番号や、通信事業者等が提供するサービスで使用するユーザＩＤを管理情報に含むようにしてもよい。
【００３９】
また、サーバ受信部４３１は、登録アクセスポイント３から、状態情報及び当該登録アクセスポイント３のＭＡＣアドレスを受信すると、これらの情報を更新部４３３に出力する。
【００４０】
更新部４３３は、サーバ受信部４３１が状態情報及び登録アクセスポイント３のＭＡＣアドレスを受信すると、記憶部４２の管理情報を参照し、当該ＭＡＣアドレスに関連付けられて記憶されている状態情報を、受信した状態情報に更新する。これにより、管理情報に記憶されている状態情報は常に最新の状態に保たれる。
【００４１】
また、サーバ受信部４３１は、携帯端末１から、当該携帯端末１が登録アクセスポイント３の圏内に存在していないと判定したときの判定結果及び宅内警備用アプリケーションのアプリケーションＩＤを受信すると、これらの情報をサーバ送信部４３４に出力する。
【００４２】
サーバ送信部４３４は、サーバ受信部４３１が、携帯端末１から判定結果及び宅内警備用アプリケーションのアプリケーションＩＤを受信すると、当該携帯端末１に状態情報を送信する。具体的には、サーバ送信部４３４は、記憶部４２に記憶されている管理情報を参照し、判定結果とともに受信した宅内警備用アプリケーションのアプリケーションＩＤに関連付けられている状態情報（開閉センサ２の検出結果）を特定する。そして、サーバ送信部４３４は、複数の開閉センサ２の少なくともいずれかの検出結果が、鍵の解錠状態若しくは扉又は窓の開状態を示している場合に、携帯端末１に状態情報を含む警告情報を送信する。このようにすることで、サーバ送信部４３４は、ユーザが外出時に鍵の施錠をし忘れたり、窓を締め忘れたりした場合に、その旨を通知し、当該ユーザに注意を促すことができる。
【００４３】
また、サーバ送信部４３４は、サーバ受信部４３１が、携帯端末１から判定結果を受信した後、記憶部４２の管理情報に記憶されている、当該判定結果に対応する状態情報が変化した場合に、当該携帯端末１に状態情報を送信する。すなわち、サーバ送信部４３４は、携帯端末１のユーザが外出している場合に、開閉センサ２の状態が変化すると、状態が変化した旨を携帯端末１のユーザに通知する。ユーザの外出中に開閉センサ２の状態が変化した場合、ユーザの住宅Ａに不審者が侵入した可能性が高い。これに対し、サーバ４は、携帯端末１に状態情報を送信することで、携帯端末１のユーザに注意を促すことができる。
【００４４】
また、サーバ送信部４３４は、所定時間帯（例えば、深夜の時間帯）に記憶部４２に記憶されている状態情報が変化すると、サーバ受信部４３１が携帯端末１から判定結果を受信しているか否かにかかわらず、当該携帯端末１に状態情報を送信する。具体的には、サーバ送信部４３４は、所定時間帯に記憶部４２の管理情報に記憶されている状態情報が変化すると、変化した状態情報に関連付けられているアプリケーションＩＤを特定する。そして、サーバ送信部４３４は、このアプリケーションＩＤに対応する携帯端末１に状態情報を含む警告情報を送信する。このようにすることで、サーバ４は、携帯端末１に状態情報を送信することで、携帯端末１のユーザに注意を促すことができる。なお、所定時間帯は、アプリケーションＩＤのそれぞれに対して個別に設定できるようにしてもよい。
【００４５】
なお、サーバ送信部４３４は、携帯端末１に状態情報を含む警告情報を送信してから所定時間以内に状態情報が変化しない場合、予め定められた連絡先に警告情報を通知してもよい。例えば、記憶部４２に、警備会社のメールアドレスを記憶しておくとともに、携帯端末１のユーザの所定の住宅Ａの住所を記憶しておく。そして、サーバ送信部４３４は、携帯端末１に警告情報を送信してから所定時間以内に、新たに登録アクセスポイント３から状態情報を受信しない場合、状態情報が変化しないと判定し、警備会社のメールアドレスに、携帯端末１の状態情報を含む警告情報、及び所定の住宅Ａの住所等を含むメッセージを送信してもよい。
【００４６】
なお、サーバ送信部４３４は、メールによる通知に限らず、電話を掛けて機械音声によって警告情報等を通知するようにしてもよい。なお、上述の説明では、予め定められた連絡先として警備会社のメールアドレスにメッセージを送信する例について説明したが、これに限らない。例えば、予め定められた連絡先を、携帯端末１のユーザが設定できるようにしてもよい。
【００４７】
［状態情報の変化に係るシーケンス］
続いて、状態監視システムＳにおける処理の流れについて説明する。図６は、第１の実施形態に係る状態情報の変化に係る処理の流れを示すシーケンス図である。
【００４８】
まず、登録アクセスポイント３は、１以上の開閉センサ２から、検出結果を受信する（Ｓ１）。登録アクセスポイント３は、検出結果を受信すると、当該検出結果を状態情報としてサーバ４に送信するとともに、登録アクセスポイント３のＭＡＣアドレスをサーバ４に送信する。
【００４９】
続いて、サーバ受信部４３１が状態情報及びＭＡＣアドレスを受信すると、サーバ４の更新部４３３は、記憶部４２の管理情報を参照し、当該ＭＡＣアドレスに関連付けられて記憶されている状態情報を、受信した状態情報に更新する（Ｓ２）。
【００５０】
続いて、サーバ送信部４３４は、記憶部４２の管理情報を参照し、更新された状態情報に関連付けられているアプリケーションＩＤを特定することにより、当該状態情報に対応する携帯端末１を特定する（Ｓ３）。
【００５１】
続いて、サーバ送信部４３４は、特定した携帯端末１のユーザが外出中か否かを判定する（Ｓ４）。具体的には、サーバ送信部４３４は、特定した携帯端末１から所定時間以内に判定結果を受信したか否かを判定することにより、当該携帯端末１のユーザが外出中か否かを判定する。サーバ送信部４３４は、外出中と判定した場合（判定がＹＥＳの場合）、状態情報を含む警告情報を、Ｓ３において特定した携帯端末１に送信し、外出中ではないと判定した場合（判定がＮＯの場合）、Ｓ５に処理を移す。
【００５２】
続いて、サーバ送信部４３４は、現在時刻が所定時間帯に含まれているか否かを判定する（Ｓ５）。サーバ送信部４３４は、所定時間帯に含まれていると判定した場合（判定がＹＥＳの場合）、状態情報を含む警告情報を、Ｓ３において特定した携帯端末１に送信し、所定時間帯に含まれていないと判定した場合（判定がＮＯの場合）、本シーケンスの処理を終了する。
【００５３】
続いて、携帯端末１の端末受信部１５５は、状態情報を含む警告情報を受信すると、当該警告情報を表示部１２に表示させることにより、状態情報を携帯端末１のユーザに通知する（Ｓ６）。
【００５４】
［携帯端末１が所定の住宅Ａから離れたときの処理の流れに係るシーケンス］
図７は、第１の実施形態に係る携帯端末１が所定の住宅Ａから離れたときの処理の流れを示すシーケンス図である。
【００５５】
まず、携帯端末１の判定部１５３は、アクセスポイントとの接続状況に基づいて、予め登録した登録アクセスポイント３の圏内に存在するか否かを判定する（Ｓ１１）。判定部１５３は、登録アクセスポイント３の圏内に存在していると判定した場合（判定がＹＥＳの場合）、Ｓ１１を再実行する。
【００５６】
また、判定部１５３が登録アクセスポイント３の圏内に存在していないと判定した場合（判定がＮＯの場合）、端末送信部１５４は、当該判定の判定結果及び宅内警備用アプリケーションのアプリケーションＩＤをサーバ４に送信する。
【００５７】
続いて、サーバ受信部４３１が、判定結果及びアプリケーションＩＤを受信すると、サーバ送信部４３４は、管理情報を参照し、アプリケーションＩＤに関連付けられている状態情報（開閉センサ２の検出結果）を特定する（Ｓ１２）。
【００５８】
続いて、サーバ送信部４３４は、状態情報、すなわち、複数の開閉センサ２の少なくともいずれかの検出結果が、鍵の解錠状態若しくは扉又は窓の開状態を示しているか否かを判定する（Ｓ１３）。サーバ送信部４３４は、開状態又は解錠状態であると判定した場合（判定がＹＥＳの場合）、当該状態情報を含む警告情報を携帯端末１に送信する。サーバ送信部４３４は、開状態及び解錠状態ではないと判定した場合、本シーケンスの処理を終了する。
【００５９】
続いて、携帯端末１の端末受信部１５５は、サーバ４から状態情報を含む警告情報を受信すると、当該警告情報を表示部１２に表示させる（Ｓ１４）。
【００６０】
［第１の実施形態における効果］
以上のとおり、第１の実施形態に係る状態監視システムＳでは、携帯端末１が、無線通信のアクセスポイントとの接続状況に基づいて登録アクセスポイント３の圏内に存在していないと判定すると、当該判定結果をサーバ４に送信し、サーバ４が、携帯端末１から判定結果を受信すると、記憶部４２に記憶されている登録アクセスポイント３の周辺の状態を示す状態情報を携帯端末１に送信する。
【００６１】
このようにすることで、状態監視システムＳでは、登録アクセスポイント３は、携帯端末１のユーザが在宅か否かを確認したり、状態情報を携帯端末１に送信したりする必要がない。よって、状態監視システムＳでは、汎用的な構成のアクセスポイントを用いて、携帯端末１に対して宅内の状況を通知することができる。
【００６２】
＜第２の実施形態＞
［サーバ４において携帯端末１が宅内に存在するか否かを判定する］
続いて、第２の実施形態について説明する。第１の実施形態では、携帯端末１が、登録アクセスポイント３の圏内に存在しているか否かを判定することにより、携帯端末１のユーザが在宅か否かを判定する例について説明した。これに対し、第２の実施形態では、サーバ４において、携帯端末１のユーザが在宅か否かを判定する点で第１の実施形態と異なる。
【００６３】
図８は、第２の実施形態に係るサーバ４の機能構成図である。第２の実施形態において、サーバ４の制御部４３は、判定部４３５を備える。なお、第２の実施形態において、携帯端末１は、判定部１５３を備えていなくてもよい。
【００６４】
以下、シーケンス図を参照しながら第２の実施形態について説明を進める。
図９は、第２の実施形態に係る携帯端末１が所定の住宅Ａから離れたときの処理の流れを示すシーケンス図である。
【００６５】
まず、携帯端末１の端末送信部１５４は、アクセスポイントとの接続状況を示す接続状況情報及び宅内警備用アプリケーションのアプリケーションＩＤをサーバ４に送信する。ここで、接続状況情報は、携帯端末１において受信している各アクセスポイントのＢＳＳＩＤを含んでいるものとする。
【００６６】
続いて、サーバ受信部４３１は、携帯端末１から、接続状況情報及びアプリケーションＩＤを受信する。
判定部４３５は、携帯端末１におけるアクセスポイントとの接続状況を示す接続状況情報に基づいて、携帯端末１が登録アクセスポイント（登録ＡＰ）３の圏内に存在しているか否かを判定する（Ｓ２１）。具体的には、記憶部４２には、図１０に示すように、登録アクセスポイント３のＢＳＳＩＤとアプリケーションＩＤとが関連付けられて、登録アクセスポイント情報として予め記憶されている。判定部４３５は、登録アクセスポイント情報を参照し、受信したアプリケーションＩＤに関連付けられている登録アクセスポイント３のＢＳＳＩＤを特定する。そして、判定部４３５は、特定したＢＳＳＩＤが接続状況情報に含まれているＢＳＳＩＤと一致するか否かを判定することにより、携帯端末１が登録アクセスポイント３の圏内に存在しているか否かを判定する。判定部４３５は、特定したＢＳＳＩＤが、接続状況情報に含まれているＢＳＳＩＤと一致しない場合、携帯端末１が登録アクセスポイント３の圏内に存在していないと判定し、Ｓ２２に処理を移す。
【００６７】
続いて、サーバ送信部４３４は、管理情報を参照し、受信したアプリケーションＩＤに関連付けられている状態情報（開閉センサ２の検出結果）を特定する（Ｓ２２）。
続いて、サーバ送信部４３４は、状態情報が、鍵の解錠状態若しくは扉又は窓の開状態を示しているか否かを判定する（Ｓ２３）。サーバ送信部４３４は、開状態又は解錠状態であると判定すると、当該状態情報を含む警告情報を携帯端末１に送信する。
続いて、携帯端末１の端末受信部１５５は、サーバ４から状態情報を含む警告情報を受信すると、当該警告情報を表示部１２に表示させる（Ｓ２４）。
【００６８】
［第２の実施形態における効果］
以上、第２の実施形態の状態監視システムＳは、サーバ４において、携帯端末１から受信した接続状況情報に基づいて、当該携帯端末１が登録アクセスポイント３の圏内に存在していないと判定すると、記憶部４２に記憶されている登録アクセスポイント３の周辺の状態を示す状態情報を携帯端末１に送信する。
【００６９】
このようにすることで、状態監視システムＳでは、登録アクセスポイント３は、第１の実施形態と同様に、携帯端末１のユーザが在宅か否かを確認したり、状態情報を携帯端末１に送信したりする必要がない。第２の実施形態に係る状態監視システムＳでも、第１の実施形態と同様に、汎用的な構成のアクセスポイントを用いて、携帯端末１に対して宅内の状況を通知することができる。
【００７０】
＜第３の実施形態＞
［複数の携帯端末１のうち、登録アクセスポイント３と最も近い携帯端末１に状態情報を通知する］
続いて、第３の実施形態について説明する。第１の実施形態では、携帯端末１が１台の場合について説明した。これに対し、第３の実施形態では、携帯端末１が複数台存在する点で第１の実施形態と異なる。例えば、家族で携帯端末１を複数台所有する場合、家族全員が別々に外出する場合がある。本実施形態に係る状態監視システムＳにおいて、サーバ４は、家族の全員が外出中の場合に、自宅に最も近いユーザの携帯端末１に対して警告情報を送信し、当該ユーザに迅速な対応を促す。以下、本実施形態に係る状態監視システムＳの詳細について説明を進める。
【００７１】
図１１は、第３の実施形態に係る携帯端末１の機能構成図である。本実施形態において、携帯端末１の制御部１５は、位置情報取得部１５６をさらに備える。
位置情報取得部１５６は、例えば、無線部１３を介して、複数のＧＰＳ衛星から定期的に位置情報を受信することにより位置情報を取得する。なお、位置情報取得部１５６は、判定部１５３が登録アクセスポイント３の圏内に存在していないと判定したことに応じて、位置情報を取得してもよい。
【００７２】
端末送信部１５４は、判定部１５３が登録アクセスポイント３の圏内に存在していないと判定したとき、当該判定の判定結果、宅内警備用アプリケーションのアプリケーションＩＤ、及び位置情報取得部１５６が取得した位置情報を、サーバ４に送信する。
【００７３】
サーバ４のサーバ受信部４３１は、複数の携帯端末１のそれぞれから、当該携帯端末１の位置を示す位置情報を受信する。具体的には、サーバ受信部４３１は、複数の携帯端末１のそれぞれから、判定結果、宅内警備用アプリケーションのアプリケーションＩＤ、及び位置情報取得部１５６が取得した位置情報を受信する。サーバ受信部４３１は、これらの情報をサーバ送信部４３４に出力する。
【００７４】
サーバ送信部４３４は、サーバ受信部４３１が、携帯端末１から判定結果、宅内警備用アプリケーションのアプリケーションＩＤ、及び位置情報を受信すると、記憶部４２に、アプリケーションＩＤと位置情報とを関連付けて、図１２に示すように位置管理情報として記憶させる。
【００７５】
また、サーバ送信部４３４は、サーバ受信部４３１が複数の携帯端末１のそれぞれから判定結果を受信している場合において、複数の開閉センサ２の少なくともいずれかの検出結果が、鍵の解錠状態若しくは扉又は窓の開状態を示しているとき、登録アクセスポイント３の位置と最も近い位置の携帯端末１に、状態情報を送信する。
【００７６】
具体的には、第３の実施形態に係る管理情報では、図１３に示すようにアプリケーションＩＤに１以上の携帯端末１のアプリケーションＩＤが含まれている。サーバ送信部４３４は、サーバ受信部４３１が受信したアプリケーションＩＤとともに同一のＭＡＣアドレスに関連付けられているアプリケーションＩＤを特定する。例えば、受信したアプリケーションＩＤが「ＡＰＰ１」である場合、サーバ送信部４３４は、ＭＡＣアドレス「11-11-11-11-11」に関連付けられている他のアプリケーションＩＤ「ＡＰＰ２」、「ＡＰＰ３」を特定する。そして、サーバ送信部４３４は、特定したアプリケーションＩＤに対応する全ての携帯端末１から所定時間内に判定結果を受信したか否かを判定する。
【００７７】
サーバ送信部４３４は、全ての携帯端末１のそれぞれから所定時間内に判定結果を受信したと判定すると、所定の住宅Ａに、複数の携帯端末１のユーザが不在であるとみなす。その後、サーバ送信部４３４は、登録アクセスポイント３の位置と最も近い位置の携帯端末１を特定する。ここで、登録アクセスポイント３の位置を示す位置情報は、予めサーバ４の記憶部４２に記憶されており、サーバ送信部４３４は、登録アクセスポイント３の位置情報と、図１２に示す位置管理情報と基づいて、登録アクセスポイント３の位置と最も近い位置の携帯端末１を特定する。
【００７８】
サーバ送信部４３４は、登録アクセスポイント３の位置と最も近い位置の携帯端末１に対して状態情報を含む警告情報を送信する。なお、サーバ送信部４３４は、携帯端末１に状態情報を含む警告情報を送信してから所定時間以内に状態情報が変化しない場合、次に登録アクセスポイント３の位置に近い携帯端末１に警告情報を通知してもよい。また、サーバ送信部４３４は、複数の携帯端末１に状態情報を含む警告情報を送信しても状態情報が変化しない場合、予め定められた連絡先に警告情報を通知してもよい。
【００７９】
［第３の実施形態における効果］
以上、第３の実施形態の状態監視システムＳは、サーバ送信部４３４は、複数の携帯端末１のうち、最も近い携帯端末１に状態情報を送信する。このようにすることで、自宅の近くにいる人に優先的に通知して迅速な対応を促すことができる。また、一度に複数の携帯端末１のユーザに状態情報を送信しないので、複数の携帯端末１のユーザ間で情報が錯綜して混乱することを防止することができる。
【００８０】
＜第４の実施形態＞
［複数の携帯端末１のうち、所定の携帯端末１に状態情報を通知する］
続いて、第４の実施形態について説明する。第４の実施形態では、第３の実施形態と同様に、携帯端末１が複数台存在する点で第１の実施形態と異なる。例えば、家族で携帯端末１を複数台所有する場合、所定の携帯端末１を親が所有し、他の携帯端末１を子供が所有する場合がある。この場合、親が外出中の場合、親は、子供が在宅中であっても、宅内の状態を把握したいことがある。本実施形態では、このようなケースに対応し、他の携帯端末１のユーザが在宅中であっても、サーバ４が所定の携帯端末１に対して状態情報を送信する。以下、第４の実施形態の詳細について説明を進める。
【００８１】
図１４は、第４の実施形態に係る記憶部４２に記憶される管理情報の一例を示す図である。
図１４に示すように、管理情報には、登録アクセスポイントのＭＡＣアドレスと、第１アプリケーションＩＤと、第２アプリケーションＩＤと、１以上の開閉センサ２の識別情報とが関連付けて記憶されていることが確認できる。ここで、第１アプリケーションＩＤは、例えば、親が所有する所定の携帯端末１に記憶されている宅内警備用アプリケーションのアプリケーションＩＤである。また、第２アプリケーションＩＤは、例えば、子供が所有する、所定の携帯端末１とは異なる他の携帯端末１に記憶されている宅内警備用アプリケーションのアプリケーションＩＤである。
【００８２】
第１アプリケーションＩＤには、１以上の他のアプリケーションＩＤを割り当てることができる。また、第２アプリケーションＩＤも、１以上の他のアプリケーションＩＤを割り当てることができる。ここで、第２アプリケーションＩＤには、アプリケーションＩＤを割り当てないようにしてもよい。なお、各宅内警備用アプリケーションは、アプリケーションＩＤが第１アプリケーションＩＤ及び第２アプリケーションＩＤのいずれに該当するかについて設定することにより、親の携帯端末１と子の携帯端末１と関係（親子関係）を設定できる。また、各宅内警備用アプリケーションは、複数の開閉センサ２のうち、状態情報の通知が必要な開閉センサ２を選択できるようにしてもよい。ここで、所定の携帯端末１にインストールされている宅内警備用アプリケーションに限定して、これらの設定を行えるようにしてもよい。
【００８３】
第４の実施形態において、サーバ送信部４３４は、サーバ受信部４３１が所定の携帯端末１から判定結果を受信すると、他の携帯端末１から判定結果を受信しているか否かにかかわらず、所定の携帯端末１に状態情報を送信する。
【００８４】
具体的には、サーバ受信部４３１が、複数の携帯端末１の少なくともいずれかから判定結果及びアプリケーションＩＤを受信すると、サーバ送信部４３４は、当該アプリケーションＩＤが第１アプリケーションＩＤ及び第２アプリケーションＩＤのいずれに属しているか否かを判定する。サーバ送信部４３４は、アプリケーションＩＤが第１アプリケーションＩＤに属していると判定すると、当該アプリケーションＩＤの送信元が所定の携帯端末１であると判定する。また、サーバ送信部４３４は、所定の携帯端末１が複数存在する場合、全ての所定の携帯端末１から判定結果を受信したか否かを判定する。
【００８５】
そして、サーバ送信部４３４は、全ての所定の携帯端末１から判定結果を受信している場合において、複数の開閉センサ２の少なくともいずれかの検出結果が、鍵の解錠状態若しくは扉又は窓の開状態を示しているとき、これらの所定の携帯端末１に警告情報を送信する。ここで、サーバ送信部４３４は、最後に判定結果を送信した携帯端末１に限定して警告情報を送信してもよい。また、サーバ送信部４３４は、所定の携帯端末１に対して、第２アプリケーションＩＤに対応する他の携帯端末１からの判定結果の受信状況を送信してもよい。このようにすることで、所定の携帯端末１のユーザは、他の携帯端末１のユーザが在宅中であるか否かについて把握することができる。
【００８６】
また、所定の携帯端末１の端末受信部１５５は、受信した警告情報を表示部１２に表示させるとともに、他の所定の携帯端末１に送信するメッセージを受け付ける受付画面を表示させてもよい。そして、端末送信部１５４が、メッセージが受け付けたことに応じて、当該メッセージ及びアプリケーションＩＤをサーバ４に送信してもよい。サーバ４のサーバ送信部４３４は、メッセージ及びアプリケーションＩＤを受信したことに応じて、当該アプリケーションＩＤに関連するアプリケーションＩＤを特定し、特定したアプリケーションＩＤに対応する携帯端末１にメッセージを送信してもよい。そして、メッセージを受信した携帯端末１の端末受信部１５５は、例えば、宅内警備用アプリケーションの表示画面等に当該メッセージを表示させてもよい。例えば、いずれかのユーザが「鍵を閉めるために家に戻ります」等のメッセージを送信することで、他のユーザに対して、鍵の施錠等に対応する旨を通知することができる。
【００８７】
また、サーバ送信部４３４は、所定の携帯端末１に警告情報を送信した後、サーバ受信部４３１が新たに受信した検出結果が、鍵の施錠状態若しくは扉又は窓の閉状態を示しているとき、当該検出結果を状態情報として所定の携帯端末１に送信してもよい。このようにすることで、警告情報が通知されても対応できなかったユーザに対して、他のユーザが鍵の施錠等を行ったことを通知することができる。
【００８８】
［第４の実施形態における効果］
以上、第４の実施形態の状態監視システムＳは、サーバ送信部４３４は、サーバ受信部４３１が所定の携帯端末１から判定結果を受信すると、他の携帯端末１から判定結果を受信しているか否かにかかわらず、所定の携帯端末１に状態情報を送信する。このようにすることで、例えば、親が所定の携帯端末１を所有し、子供が他の携帯端末１を所有しているケースにおいて、親が外出中の場合に、子供が在宅中であっても宅内の状態を把握することができる。
【００８９】
以上、本発明を実施の形態を用いて説明したが、本発明の技術的範囲は上記実施の形態に記載の範囲には限定されない。例えば、携帯端末１の種類によっては、登録アクセスポイント３との接続が確立されている場合に、表示部１２の表示がＯＦＦとなり、情報の送受信が行われていない状態となってから一定時間が経過すると、当該接続を切断することがある。そこで、表示部１２の表示がＯＦＦとなった場合に、宅内警備用アプリケーションが、登録アクセスポイント３を介して、定期的にサーバ４と情報の送受信を行い、登録アクセスポイント３との接続が切断されないようにしてもよい。このようにすることで、表示部１２の表示がＯＦＦとなった場合に、携帯端末１が登録アクセスポイント３と通信可能な距離に位置しているにもかかわらず、登録アクセスポイント３の圏内に存在していないと判定されることを防止することができる。
【００９０】
また、携帯端末１と、登録アクセスポイント３との接続状況が不安定である場合、携帯端末１と登録アクセスポイント３との接続が切断されると、携帯端末１が自宅に存在するにもかかわらず、当該携帯端末に状態情報が通知されてしまう。このため、携帯端末１の判定部１５３は、アクセスポイントとの接続状況及び携帯端末１の位置に基づいて住宅Ａに不在であるか否かを判定してもよい。例えば、判定部１５３は、登録アクセスポイント３と接続されていないと判定した場合に、携帯端末１の位置を示す位置情報に基づいて、住宅Ａに不在であるか否かを判定してもよい。
【００９１】
また、上記実施の形態では、開閉センサ２が検出した宅内における鍵の施錠状態又は窓又は扉の開閉状態を携帯端末１に通知することとしたが、これに限定されるものではない。例えば、登録アクセスポイント３と通信可能に接続された家電機器の電源のＯＮ／ＯＦＦを示す状態情報を通知するようにしてもよい。また、登録アクセスポイント３と通信可能に接続される自家用車が敷地内（車庫内）にあるか否かを示す状態情報を通知してもよい。この場合、例えば、車庫内に近接センサを設け、近接センサの検出状況に基づいて、自家用車が敷地内（車庫内）にあるか否かを判定してもよい。
【００９２】
また、開閉センサ２が電池で動作する場合、開閉センサ２は、検出結果として、電池の残量を示す情報を送信してもよい。そして、サーバ４のサーバ送信部４３４は、開閉センサ２の電池の残量が所定量未満であるとき、携帯端末１が不在であるか否かにかかわらず、警告情報を送信するようにしてもよい。
【００９３】
また、上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９４】
１・・・携帯端末、１１・・・入力部、１２・・・表示部、１３・・・無線部、１４・・・記憶部、１５・・・制御部、１５１・・・接続管理部、１５３・・・判定部、１５４・・・端末送信部、１５５・・・端末受信部、１５６・・・位置情報取得部、２・・・開閉センサ、３・・・登録アクセスポイント、４・・・サーバ、４１・・・通信部、４２・・・記憶部、４３・・・制御部、４３１・・・サーバ受信部、４３２・・・登録部、４３３・・・更新部、４３４・・・サーバ送信部、４３５・・・判定部、５・・・他のアクセスポイント、Ｎ・・・ネットワーク、Ｓ・・・状態監視システム
【図１】
0005911523.tif 000002
【図２】
0005911523.tif 000003
【図３】
0005911523.tif 000004
【図４】
0005911523.tif 000005
【図５】
0005911523.tif 000006
【図６】
0005911523.tif 000007
【図７】
0005911523.tif 000008
【図８】
0005911523.tif 000009
【図９】
0005911523.tif 000010
【図１０】
0005911523.tif 000011
【図１１】
0005911523.tif 000012
【図１２】
0005911523.tif 000013
【図１３】
0005911523.tif 000014
【図１４】
0005911523.tif 000015